(57)【特許請求の範囲】
【請求項１】
送信パターン生成手段と、送信機と、通信網と、受信機と、受信パターン検出手段と、ストリーミング画像再生品質評価手段とを有するストリーミング画像再生品質評価システムであって、
前記送信パターン生成手段は、一連のフレームにそれぞれ異なる位置での発光による画像パターンであって他のいずれのフレームの画像とも重複することのない画像パターンを生成し表示部に表示させる手段であり、
前記送信機は、前記送信パターン生成手段の表示部に表示されたフレームごとの画像パターンを撮影し、圧縮および符号化して通信網へ送信する手段であり、
前記受信機は、通信網を介して受信した前記圧縮および符号化された画像データを復号および伸張してフレームごとの画像を再生し、再生したフレームごとの画像を表示部に順次表示する手段であり、
前記受信パターン検出手段は、前記受信機の表示部に表示された画像を撮影し、フレームごとの画像パターンを検出する手段であり、
前記ストリーミング画像再生品質評価手段は、受信パターン検出手段が検出したフレームごとの画像パターンを一つ前のフレームの受信画像パターンと比較して相似度を算出し、相似度が第１の基準値以上である場合はフレームに欠落があると判断し、相似度が、第１の基準値より低い第２の基準値以下である場合は圧縮伸張処理に破綻があると判断する手段である
ことを特徴とするストリーミング画像再生品質評価システム。
【請求項２】
請求項１記載のストリーミング画像再生品質評価システムにおいて、前記ストリーミング画像再生品質評価手段は、受信した全てのフレームを合成して評価画像を生成する働きを有することを特徴とするストリーミング画像再生品質評価システム。
【請求項３】
請求項１または請求項２記載のストリーミング画像再生品質評価システムにおいて、前記送信機がカメラ付携帯電話機であり、前記受信手段が、表示部を有する携帯電話機である
ことを特徴とするストリーミング画像再生品質評価システム。
【請求項４】
請求項１ないし請求項３のいずれか１項記載のストリーミング画像再生品質評価システムを構成する送信パターン生成手段であって、
一連のフレームにそれぞれ異なる位置での発光による画像パターンであって他のいずれのフレームの画像とも重複することのない画像パターンを生成するパターン生成部と、生成したパターンを表示する表示部を有する
ことを特徴とする送信パターン生成手段。
【請求項５】
請求項１ないし請求項３のいずれか１項記載のストリーミング画像再生品質評価システムを構成する受信パターン検出手段であって、
前記受信機の表示部に表示されたフレームごとの画像パターンを撮影するカメラと、前記カメラが撮影したフレームごとの画像パターンを検出する画像パターン検出部を有する
ことを特徴とする受信パターン検出手段。
【請求項６】
請求項１ないし請求項３のいずれか１項記載のストリーミング画像再生品質評価システムを構成するストリーミング画像再生品質評価手段であって、
受信パターン検出手段が検出したフレームごとの画像パターンを一つ前のフレームの受信画像パターンと比較して相似度を算出し、相似度が第１の基準値以上である場合はフレームに欠落があると判断し、相似度が、第１の基準値より低い第２の基準値以下である場合は圧縮伸張処理に破綻があると判断する
ことを特徴とするストリーミング画像再生品質評価手段。
【請求項７】
請求項６記載のストリーミング画像再生品質評価手段であって、
前記受信パターン検出手段からのフレームごとの画像パターンを合成して評価画面を生成し、基準となる画面と比較して再生画像の品質を評価する画像品質評価部を有する
ことを特徴とするストリーミング画像再生品質評価手段。
【請求項８】
画像パターンを生成する送信パターン生成手段と、前記画像パターンを撮影し通信網へ送信する送信機と、前記送信された画像パターンを受信しフレームごとの画像を表示部で表示する受信機と、前記画像を撮影する受信パターン検出手段と、ストリーミング画像再生品質評価手段とを有するストリーミング画像再生品質評価システムを構成するストリーミング画像再生品質評価手段におけるストリーミング画像再生品質評価方法であって、
前記ストリーミング画像再生品質評価手段は、
前記受信機の表示部に表示された第１の画像フレームを前記受信パターン検出手段を介して読み込み比較元画像を作成する処理と、
前記受信機の表示部に表示された第１の画像フレームより１フレーム後の第２の画像フレームを前記受信パターン検出手段を介して読み込み比較対象画像を作成する処理と、
前記比較元画像と前記比較対象画像を比較し、比較対象画像が比較元画像に似ている度合いを数値化する画像比較相似度算出処理と、
前記画像比較相似度が第１の基準値以上であるかを判定し前記画像比較相似度が第１の基準値以上であるときに、第２の画像フレームが欠落したと判断する処理と、
前記画像比較相似度算出処理において、前記画像比較相似度が前記第１の基準値以上でないと判断したときに、前記画像比較相似度が前記第１の基準値より低い第２の基準値以下であるかを判定し前記画像比較相似度が前記第２の基準値より低いときに符号化または圧縮処理もしくは復号化または伸張処理に破綻が生じたと判定する処理と、
前記画像比較相似度が前記第２の基準値より高いときに前記第２の画像フレームが正常であるとする処理を有する
ことを特徴とするストリーミング画像再生品質評価方法。
【発明の詳細な説明】
【技術分野】
【０００１】
本発明は、ストリーミング画像放送等の撮影および送信側から受信再生側にいたる一連の信号処理や信号伝播品質の尺度の１つであるこま落ちの発生に関する評価を、再生フレーム数を計数することにより、再生画面から自動的に行うストリーミング画像再生品質評価システムに関する。
【背景技術】
【０００２】
パケット信号を使用して、画像を伝送しリアルタイムで表示するストリーミング画像放送は、一般的に狭帯域な伝送方法を使用することから、画像を符号化し圧縮処理することによってデータ量を小さくして伝送している。また、ストリーミング放送は、従来の放送とは異なり、公衆回線を介してパケット信号形式で画像データを伝送することから、データの交錯や通信網上の外乱により、データの欠損を生じてしまい、信号再生側では、一連のフレームに欠損が生じるこま落ちと称される現象が発生する。また、ストリーミング画像放送は、送信側における画像圧縮処理および受信側における伸張処理を行うことから、それぞれに使用する機材の性能により同一条件の通信網においても最終的な画像が異なることが発生する。
【０００３】
したがって、個々の機材およびデータ通信網の性能を評価する上で再生フレーム数を測定することは、動画像再生の滑らかさを評価する上での重要な尺度のひとつになっている。
【特許文献１】特開平８−６２２９０号公報
【発明の開示】
【発明が解決しようとする課題】
【０００４】
本発明は、上記問題にかんがみなされてもので、ストリーミング画像放送におけるストリーミング画像の再生品質を評価するストリーミング画像再生品質評価システムを提供することを目的とする。
【課題を解決するための手段】
【０００５】
この課題を解決するために、本発明にかかるストリーミング画像再生品質評価システムは、送信パターン生成手段と、送信機と、通信網と、受信機と、受信パターン検出手段と、ストリーミング画像再生品質評価手段とを備えている。すなわち、本発明は、送信パターン生成手段と、送信機と、通信網と、受信機と、受信パターン検出手段と、ストリーミング画像再生品質評価手段とを有するストリーミング画像再生品質評価システムであって、
前記送信パターン生成手段は、一連のフレームにそれぞれ異なる位置での発光による画像パターンであって他のいずれのフレームの画像とも重複することのない画像パターンを生成し表示部に表示させる手段であり、前記送信機は、前記送信パターン生成手段の表示部に表示されたフレームごとの画像パターンを撮影し、圧縮および符号化して通信網へ送信する手段であり、前記受信機は、通信網を介して受信した前記圧縮および符号化された画像データを復号および伸張してフレームごとの画像を再生し、再生したフレームごとの画像を表示部に順次表示する手段であり、前記受信パターン検出手段は、前記受信機の表示部に表示された画像を撮影し、フレームごとの画像パターンを検出する手段であり、前記ストリーミング画像再生品質評価手段は、受信パターン検出手段が検出したフレームごとの画像パターンを一つ前のフレームの受信画像パターンと比較して相似度を算出し、相似度が第１の基準値以上である場合はフレームに欠落があると判断し、相似度が、第１の基準値より低い第２の基準値以下である場合は圧縮伸張処理に破綻があると判断する手段であることにより構成される。そして、上記ストリーミング画像再生品質評価手段は、受信した全てのフレームを合成して評価画像を生成する働きを有している。
【０００６】
本発明は、上記ストリーミング画像再生品質評価システムにおいて、前記送信機がカメラ付携帯電話機であり、前記受信手段が、表示部を有する携帯電話機であることにより構成される。
【０００７】
本発明は、上記ストリーミング画像再生品質評価システムを構成する送信パターン生成手段であって、一連のフレームにそれぞれ異なる位置での発光による画像パターンであって他のいずれのフレームの画像とも重複することのない画像パターンを生成するパターン生成部と、生成したパターンを表示する表示部を有することにより構成される。
【０００８】
本発明は、上記ストリーミング画像再生品質評価システムを構成する受信パターン検出手段であって、前記受信機の表示部に表示されたフレームごとの画像パターンを撮影するカメラと、前記カメラが撮影したフレームごとの画像パターンを検出する画像パターン検出部を有することにより構成される。
【０００９】
本発明は、上記ストリーミング画像再生品質評価システムを構成するストリーミング画像再生品質評価手段であって、受信パターン検出手段が検出したフレームごとの画像パターンを一つ前のフレームの受信画像パターンと比較して相似度を算出し、相似度が第１の基準値以上である場合はフレームに欠落があると判断し、相似度が、第１の基準値より低い第２の基準値以下である場合は圧縮伸張処理に破綻があると判断することにより構成される。さらに、上記ストリーミング画像再生品質評価手段は、前記受信パターン検出手段からのフレームごとの画像パターンを合成して評価画面を生成するとともに、基準となる画面と評価する画面を比較して再生画像の品質を評価する画像品質評価部を有することにより構成される。
【００１０】
さらに、本発明は、画像パターンを生成する送信パターン生成手段と、前記画像パターンを撮影し通信網へ送信する送信機と、前記送信された画像パターンを受信しフレームごとの画像を表示部で表示する受信機と、前記画像を撮影する受信パターン検出手段と、ストリーミング画像再生品質評価手段とを有するストリーミング画像再生品質評価システムを構成するストリーミング画像再生品質評価手段におけるストリーミング画像再生品質評価方法であって、前記ストリーミング画像再生品質評価手段は、前記受信機の表示部に表示された第１の画像フレームを前記受信パターン検出手段を介して読み込み比較元画像を作成する処理と、前記受信機の表示部に表示された第１の画像フレームより１フレーム後の第２の画像フレームを前記受信パターン検出手段を介して読み込み比較対象画像を作成する処理と、前記比較元画像と前記比較対象画像を比較し、比較対象画像が比較元画像に似ている度合いを数値化する画像比較相似度算出処理と、前記画像比較相似度が第１の基準値以上であるかを判定し前記画像比較相似度が第１の基準値以上であるときに、第２の画像フレームが欠落したと判断する処理と、前記画像比較相似度算出処理において、前記画像比較相似度が前記第１の基準値以上でないと判断したときに、前記画像比較相似度が前記第１の基準値より低い第２の基準値以下であるかを判定し前記画像比較相似度が前記第２の基準値より低いときに符号化または圧縮処理もしくは復号化または伸張処理に破綻が生じたと判定する処理と、前記画像比較相似度が前記第２の基準値より高いときに前記第２の画像フレームが正常であるとする処理を有する。
【発明の効果】
【００１１】
本発明によれば、ストリーミング画像放送等の受信機におけるストリーミング画像再生品質の評価に当たって、受信した再生フレームの正常性を確認する処理を機械化することができ、受信機の評価の証拠となる画像を電子的に保存することが可能となり、受信機を客観的に評価することができる。
【００１２】
さらに、本発明によれば、評価結果を電子的に保存することが可能となるので、試験終了後においても、試験実施者と評価判定者が別の場所に存在しても、試験結果を確認することが可能となる。
【発明を実施するための最良の形態】
【００１３】
本発明にかかるストリーミング画像再生品質評価システムの構成の概要を、図１を用いて説明する。本発明にかかるストリーミング画像再生品質評価システムは、送信パターン生成手段１と、送信機２と、パケット信号を伝送するための公衆回線網などの通信網３と、受信機４と、受信パターン検出手段５と、ストリーミング画像再生品質評価手段６とを備えている。
【００１４】
送信パターン生成手段１は、複数の送信画面のフレームにそれぞれ他のフレームには存在しない唯一無二のパターンを生成し、それぞれ異なるパターンを有するフレームを順次生成する手段である。すなわち、送信パターン生成手段１は、一連のフレームにそれぞれ異なる画像パターンであって他のいずれのフレームの画像とも重複することのない唯一無二の画像パターンを順次生成し表示部に表示させる手段である。
【００１５】
送信パターン生成手段１は、ストリーミング画像再生品質評価手段５または別途設けた中央制御手段からの指令によって唯一無二のパターンを順次生成するパターン生成部１１と、パターン生成部１１が生成した送信パターンを順次表示する表示部１２と、送信パターン生成手段１全体を制御する制御部１３と、ストリーミング画像再生品質評価手段６または別途設けた図示を省略した中央制御手段との間で通信する通信制御部１４を有している。
【００１６】
送信機２は、送信パターン生成手段１が生成した送信パターンを有する画面を撮影して、撮影した画像データに圧縮／符号化処理を施し、公衆回線網等の通信網３上へ送出する手段であり、例えば、カメラ付携帯電話機が相当する。送信機２は、送信パターン生成手段１の表示部１２に表示されたフレームごとの画像パターンを撮影し、圧縮および符号化して通信網３へ送信する手段である。送信機２は、送信パターン生成手段１の表示部１２に表示された送信パターンを撮影するカメラ２１と、カメラ２１で撮影した画像のデータに例えばＭＰＥＧ４の圧縮処理および符号化処理を施す圧縮・符号化部２２と、圧縮・符号化部２２で圧縮および符号化した画像データを通信網３上へ送出する通信制御部２３と、送信機２の動作を制御する制御部２４とを有している。
【００１７】
通信網３は、パケット信号を伝送可能な公衆回線網等を用いて１つの送信機２から複数の受信機４−１，４−２…へストリーミング画像データをブロードキャストによって伝送するストリーミング画像放送が可能な通信網である。
【００１８】
受信機４は、通信網３から受信した画像データを復号化および伸張してパターンを含む画像を再生し、表示部４３に表示する手段であり、例えば、携帯電話機が相当する。受信機４は、通信網３を介して受信した圧縮および符号化された画像データを復号化および伸張してフレームごとの画像を再生し、再生したフレームごとの画像を表示部４３に順次表示する手段である。受信機４は、通信網３から圧縮および符号化された画像データを受信する通信制御部４１と、受信した圧縮および符号化データを復号化し伸張して元画像データを得る復号化・伸張部４２と、復号化および伸張された画像データを表示する表示部４３と、受信機４の動作を制御する制御部４４とを有している。
【００１９】
受信パターン検出手段５は、各受信機４に対応して設けられ、受信機４の表示部４３に表示された受信パターンを撮影するカメラ５１と、撮影した受信パターンの画像を格納する画像記憶部５２と、撮影した画像から受信パターンを検出する受信パターン検出部５３と、受信パターン検出手段５の動作を制御する制御部５４とを有している。すなわち、受信パターン検出手段５は、受信機４の表示部４３に表示された画像を撮影し、フレームごとの画像パターンを検出する手段である。
【００２０】
ストリーミング画像再生品質評価手段６は、受信パターン検出手段５が検出した所定数の受信パターンを用いていわゆるこま落ちの発生などがないかを判定して受信した画像の品質を評価する画像品質評価部６１と、評価結果を記憶する記憶部６２と、評価結果を表示する表示部６３と、ストリーミング画像再生品質評価手段６の動作を制御する制御部６４とを有している。すなわち、ストリーミング画像再生品質評価手段６は、受信パターン検出手段５が検出したフレームごとの画像パターンを合成して評価画像を生成する手段である。ストリ−ミング画像再生品質評価手段６は、受信パターン検出手段５からのフレームごとの画像パターンを合成して評価画面を生成し、基準となる画面と比較して再生画像の品質を評価する画像品質評価部６１を有する。ストリ−ミング画像再生品質評価手段６は、複数の受信機４−１，４−２に対応して設けられた受信パターン検出手段５−１，５−２…とＷＡＮまたはＬＡＮもしくは通信網を介して接続され、それぞれのパターン検出手段からの受信パターンに対してそれぞれ独立して再生画像の品質評価を行うことができる。
【００２１】
図２を用いて、送信パターン生成手段１の表示部１２の構成の１例を説明する。表示部１２には、例えば４個の発光ダイオードが配置された発光部１２１−１〜１２１−３０が複数個設けられている。表示部１２は、１フレームごとに重なる部分を全く生じない異なる１個の発光部１２１が選択されて発光する。例えば、第１のフレームでは、発光部１２１−１が、第２のフレームでは発光部１２１−２が、…第３０のフレームでは発光部１２１−３０が発光する。
【００２２】
すなわち、送信パターン発生手段１は、毎秒ｎ種（例えば、本実施例においては３０フレーム）の異なるパターンを発生し表示部１２条へ表示する。送信機２のカメラ２１で撮影された各フレームのパターンは、圧縮および符号化処理がなされて符号化データとして通信網３上へ送出される。受信機４では受信した符号化データを復号しかつ伸張して各フレームのパターン画像を表示部４３に再生する。受信パターン検出手段５のカメラ５１は、受信機４の表示部４３を撮影し、表示された受信パターンを受信パターン検出部５３で検出する。検出された受信パターンはストリーミング画像再生品質評価手段６に送られ、受信パターンがどれだけ再生されているかによって、再生画像の品質を評価する。
【００２３】
すなわち、受信機４における画像の再生では、再生画像（フレーム）に脱落が生じたときには、１フレーム前の画像を再生して充当するので、全てのフレーム（例えば３０フレーム）を再生するといわゆるこま落ちを生じる。画像品質評価部６１は、３０フレームの画像を合成して評価画面を作成し、点灯すべき発光部の全てが発光しているか否かを判断して再生画像の品質を評価する。前記評価画面を表示部６３に表示することにより、全てのフレームに脱落がない場合には、例えば、表示部６３に表示される画面は、図２に示した送信パターン生成手段１の表示部１２における表示パターンと同様に、全ての発光部（６３１−１〜６３１−３０（１２１−１〜１２１−３０）が同時に点灯することとなり、正常に再生されたことを直ちに目視により評価することができる。一方、いずれかのフレーム（例えば、第３のフレーム）が正常に転送されなかったときには、表示部６３に表示される画面は、図３に示すように、全ての発光部６３１−１〜６３１−３０の内第３の発光部６３１−３が点灯せず、残りの発光部６３１−１，６３１−２、６３１−４〜６３１−３０が点灯することとなり、第３のフレームにこま落ちが生じたことを直ちに目視により評価することができる。
【００２４】
以下、本発明にかかるストリーミング画像再生品質評価システムにおける、送信パターン生成側の処理の流れとストリーミング画像再生品質評価側の処理の流れを、図４を用いて、説明する。
【００２５】
制御用アプリケーションからの起動要求により、送信パターン生成側の発光装置（送信パターン生成手段）が起動される（Ｓ１）と、例えば一秒間に３０フレームの互いに唯一無二のパターンからなる発光パターン（表示部１２のＬＥＤ表示素子１２１をどのような順序で発光させるか）を選択し（Ｓ２）、送信パターン生成側およびストリーミング画像再生品質評価側に測定開始を指示する（Ｓ３）。指定時間後に、送信パターン生成側は、発光を開始し、発光パターンの各パターンを送信機２および通信網３を介して各受信機へ向けて順次送信する（Ｓ４）。
【００２６】
ストリーミング画像再生品質評価側は、各受信機の画像の取り込みを開始し（Ｓ１１）。まず、ｉフレーム目の画像（ｉフレーム）を取り込み（Ｓ１２）、画像比較対象領域を抽出して比較の元となる画像（比較元画像）を作成する（Ｓ１３）。所定時間後に、ｉ＋１フレーム目の画像（ｉ＋１フレーム）を取り込み（Ｓ１４）、比較対象像領域を抽出し比較対象画像を作成する（Ｓ１５）。次いで、ｉフレームの画像（比較元画像）とｉ＋１フレームの画像（比較対象画像）を比較する（Ｓ１６）。比較の結果に基づいて、ｉフレームの画像とｉ＋１フレームの画像がどの程度似ているかの画像比較相似度を数値化する（Ｓ１７）。数値化した相似度が予め設定した第１の基準値以上であるか否かを判定する（Ｓ１８）。本発明においては、ｉ＋１フレームを正常に受信できなかったときには、前のｉフレームで代替するようにされていることから、ｉフレームのパターンとｉ＋１フレームのパターンはそれぞれ唯一無二のものであり、かつ極端に相違するパターンでなく、それぞれのフレームが正常であるときには所定の値で異なっており、比較対象画像にこま落ちが生じて前のフレーム（比較元画像）で代替したときには、代替後の比較対象画像は比較元画像と一致するので、この相似度の第１の基準値は、完全に一致せず正常な範囲で異なる程度を示す値とする。
【００２７】
ステップＳ１８の判断において、相似度が基準値以上であるとき（Ｙｅｓ）には、比較対象画像のフレームに欠落があると判断してフレーム欠落情報を出力する（Ｓ１９）。ステップＳ１８において、相似度が所定の基準値以上でないとき（Ｎｏ）には、比較対象画像フレームに欠落がないとしてステップＳ２０に移行する。
【００２８】
送信される圧縮および符号化した画像データや、受信して復号化および伸張処理した画像データに破綻があるときには、比較元画像と比較対象画像フレームとの間の相似度に大きな相違（相似度の低下）が生じる。この相似度が、正常時における第１の基準値を下回る第２の基準値以下であるか否かを判断する（Ｓ２０）。第２の基準値以下であるとき（Ｙｅｓ）には、圧縮／伸張処理が破綻したことを意味すると判断して、圧縮／伸張処理破綻情報を作成する（Ｓ２１）。ステップＳ２０で、相似度が第２の基準値以下とならないとき（Ｎｏ）には、圧縮／伸張処理が正常であると判断する。ステップＳ１９のフレーム欠落情報およびステップＳ２１の圧縮／伸張処理破綻情報ならびに受信したフレームが正常である情報は、時刻情報とともにそれぞれ測定記録として記憶部６２に記録される（Ｓ２２）。その後、ｉ＝ｉ＋１として（Ｓ２３）、ステップＳ１２に戻り次のフレームに対する正常性を判断する。このとき、前回のｉ＋１フレームの比較対象画像を今回のｉフレームの比較元画像とすることにより、Ｓ１２〜Ｓ１４の処理を割愛することができる。
【００２９】
全てのフレームの送信処理が終了すると、送信パターン生成側は、発光処理を終了し（Ｓ６）、試験終了処理を実行する（Ｓ７）。ストリーミング画像再生品質評価側では、各フレーごとの正常性を判断することができ、さらに、ストリーミング画像再生品質評価側は、全てのフレームを重ねた評価画像を作成して表示部６３に表示して目視可能とした後、評価処理を終了する。
【００３０】
これらの処理において、受信機ごとに、ストリーミング画像再生評価処理の結果が異なるときはそれぞれの受信機の品質を評価することとなり、圧縮／伸張処理破綻情報が全ての受信機で同時に発生したときには、送信パターン生成側もしくは通信網に何らかの障害が生じたものと判断することができ、ストリーミング画像再生品質評価システムにおけるストリーミング画像伝送路を検定することができる。
【００３１】
本発明によれば、評価画像は、再生画像をデータ容量の大きな動画として保存することなく、単位時間ごとの１枚の静止画として形成され、記憶部６２に記憶されるので、試験結果の保存におけるデータ量を徒に大きくすることがない。
【００３２】
以上のように、本発明では、送信パターン生成（送信）側の画像に各フレームの中に他のフレームには写らない唯一無二な手段（所定箇所における所定の数の点灯や所定箇所の点灯形状）を備え、その画像を撮影して受信側に送信し、受信側で受信した画像を再生して、比較元画像フレームと比較対象画像フレームがどの程度相違すること、および各フレームを重ねた規定の形状もしくは数の唯一無二な画像がどれだけ表示されているかを判定することで、単位時間あたりのどれほどのフレームを再生することできたかを確認できるようになる。
【００３３】
この唯一無二な画像がどれだけ表示されているかをストリーミング画像再生品質評価手段で画像処理することにより再生フレームの品質を自動的に判定することができるようになる。
【００３４】
また、再生された評価画像は点灯箇所や形状などの特徴から再生フレーム数を自動的に認識し認識結果として保存を行う。
【図面の簡単な説明】
【００３５】
【図１】本発明にかかるストリーミング画像再生品質評価システムの構成を説明する図。
【図２】本発明における送信パターン生成手段の表示部の構成例を説明する図。
【図３】本発明におけるストリーミング画像再生品質評価手段６の表示部に表示される評価画面の構成例を説明する図。
【図４】本発明におけるストリーミング画像再生品質評価処理の流れを説明するフローチャート。
【符号の説明】
【００３６】
１…送信パターン生成手段、１１…パターン生成部、１２…表示部、１２１…発光部、１３…制御部、１４…通信制御部、２…送信機（カメラ付携帯電話機）、２１…カメラ、２２…圧縮・符号化部、２３…通信制御部、２４…制御部、３…通信網、４…受信機（携帯電話機）、４１…通信制御部、４２…復号化・伸張部、４３…表示部、４４…制御部、５…受信パターン検出手段、５１…カメラ、５２…画像記憶部、５３…受信パターン検出部、５４…制御部、６…ストリーミング画像生成品質評価手段、６１…画像品質評価部、６２…記憶部、６３…表示部、６３１…発光部、６４…制御部。
【図１】
0004673178.tif 000002
【図２】
0004673178.tif 000003
【図３】
0004673178.tif 000004
【図４】
0004673178.tif 000005